(57)【要約】【課題】  本発明の課題は、奥行き方向にコンパクト化された冷凍装置の室外機を提供することにある。【解決手段】  冷凍装置の室外機１は、熱交換部１３０ａ、軸流ファンロータ４０、およびファンモータ本体３９を備える。熱交換部１３０ａは、奥行き方向Ｙに直交する面である第１面に沿って広がる。軸流ファンロータ４０は、奥行き方向Ｙに沿った第１回転軸Ｌを有する。ファンモータ本体３９は、軸流ファンロータ４０を回転駆動させるために設けられる。そして、ファンモータ本体３９は、側方から見た場合において少なくとも一部が熱交換部１３０ａに重なるように配置される。【選択図】      図３
2006084050.tif 000002
【特許請求の範囲】
【請求項１】
奥行き方向（Ｙ）に直交する面である第１面に沿って広がる熱交換部（１３０ａ，１３１ａ，２３０ａ）と、
奥行き方向に沿った第１回転軸（Ｌ）を有する軸流ファンロータ（４０，１４０）と、
前記軸流ファンロータを回転駆動させるためのファンモータ本体（３９）と、
を備え、
前記ファンモータ本体は、側方から見た場合において少なくとも一部が前記熱交換部に重なるように配置される、冷凍装置の室外機（３，３ａ，１０３，２０３）。
【請求項２】
前記熱交換部は、前記ファンモータ本体の少なくとも一部を挿入可能な空間であるファンモータ本体挿入空間（Ｓｍ，Ｓｍ’）を有する、
請求項１に記載の冷凍装置の室外機。
【請求項３】
前記第１回転軸は、前記ファンモータ本体の回転軸である第２回転軸の延長線上になく、
前記ファンモータ本体において発生する回転動力を前記軸流ファンロータに伝達する回転動力伝達機構（ＧＲ，ＢＬ）をさらに備える、
請求項１または２に記載の冷凍装置の室外機。
【請求項４】
前記軸流ファンロータは、前記ファンモータ本体の少なくとも一部を包容するように奥行き方向に沿って筒状に形成されるボス部（４０ａ）を有する、
請求項１または２に記載の冷凍装置の室外機。
【発明の詳細な説明】
【技術分野】
【０００１】
本発明は、冷凍装置の室外機に関する。
【背景技術】
【０００２】
従来、図１７および図１８に示されるような空気調和装置（冷凍装置）の室外機５０３がある。この室外機５０３では、図１８に示されるように、ファンモータ３９が、側方から見た場合において、室外熱交換器３０のうち後面に広がる後面熱交換部３０ａとプロペラファンロータ４０との間に配置されている。
【特許文献１】特開平５−３１２３５２号公報
【発明の開示】
【発明が解決しようとする課題】
【０００３】
ところで、近年、室外機の設置スペースを十分にとれない場合があり、室外機を奥行き方向にコンパクト化したいという要望がある。
本発明の課題は、奥行き方向にコンパクト化された冷凍装置の室外機を提供することにある。
【課題を解決するための手段】
【０００４】
第１発明に係る冷凍装置の室外機は、熱交換部、軸流ファンロータ、およびファンモータ本体を備える。熱交換部は、奥行き方向に直交する面である第１面に沿って広がる。軸流ファンロータは、奥行き方向に沿った第１回転軸を有する。ファンモータ本体は、軸流ファンロータを回転駆動させるために設けられる。そして、ファンモータ本体は、側方から見た場合において少なくとも一部が熱交換部に重なるように配置される。
【０００５】
従来の冷凍装置の室外機では、ファンモータ本体が、側方から見た場合において熱交換部とファンロータとの間に配置されていた。しかし、この冷凍装置の室外機では、ファンモータ本体が、側方から見た場合において少なくとも一部が熱交換部に重なるように配置される。このため、この冷凍装置の室外機は、少なくとも従来の冷凍装置の室外機におけるファンモータ本体後端から熱交換部の前面に至る距離分、最大で従来の冷凍装置の室外機におけるファンモータ本体後端から熱交換部の後面に至る長さ分だけ、奥行き方向にコンパクト化されることが可能である。
【０００６】
第２発明に係る冷凍装置の室外機は、第１発明に係る冷凍装置の室外機であって、熱交換部は、ファンモータ本体挿入空間を有する。ファンモータ本体挿入空間は、ファンモータ本体の少なくとも一部を挿入可能である。ファンモータ本体挿入空間は、前方から見た場合において熱交換部の内部に設けられてもよいし端部に設けられてもよい。
この冷凍装置の室外機では、熱交換部が、ファンモータ本体挿入空間を有する。このため、この冷凍装置の室外機は、熱交換部の配置に関わらず、奥行き方向にコンパクト化されることが可能である。
【０００７】
第３発明に係る冷凍装置の室外機は、第１発明または第２発明に係る冷凍装置の室外機であって、第１回転軸は、ファンモータ本体の回転軸である第２回転軸の延長線上にない。このため、この冷凍装置の室外機は、ファンモータ本体において発生する回転動力を軸流ファンロータに伝達する回転動力伝達機構をさらに備える。なお、ここにいう「回転動力伝達機構」とは、例えば、ギア駆動機構やベルト駆動機構などである。
【０００８】
この冷凍装置の室外機では、第１回転軸が、ファンモータ本体の回転軸である第２回転軸の延長線上にない。この状況に伴い、この冷凍装置の室外機では、回転動力伝達機構がさらに設けられる。このため、この冷凍装置の室外機では、ファンモータ本体が側方から見た場合において少なくとも一部が熱交換部に重なるように配置される限り、自由にファンモータ本体を配置することができる。したがって、この冷凍装置の室外機では、例えば、圧縮機などが配置される機械室にファンモータ本体を配置することも可能となる。
【０００９】
第４発明に係る冷凍装置の室外機は、第１発明または第２発明に係る冷凍装置の室外機であって、軸流ファンロータは、ボス部を有する。ボス部は、ファンモータ本体の少なくとも一部を包容するように奥行き方向に沿って筒状に形成される。
従来の冷凍装置の室外機では、軸流ファンロータが、ファンモータ本体の外径よりも大きな内径を有するボス部を有する場合であっても、ファンモータ本体が、軸流ファンロータのボス部に挿入されることはなかった。しかし、この冷凍装置の室外機では、軸流ファンロータのボス部にファンモータ本体の少なくとも一部が挿入される。このため、この冷凍装置の室外機は、奥行き方向にさらにコンパクト化されることが可能である。
【発明の効果】
【００１０】
第１発明に係る冷凍装置の室外機は、少なくとも従来の冷凍装置の室外機におけるファンモータ本体後端から熱交換部の前面に至る距離分、最大で従来の冷凍装置の室外機におけるファンモータ本体後端から熱交換部の後面に至る距離分だけ、奥行き方向にコンパクト化されることが可能である。
第２発明に係る冷凍装置の室外機は、熱交換部の配置に関わらず、奥行き方向にコンパクト化されることが可能である。
【００１１】
第３発明に係る冷凍装置の室外機では、ファンモータ本体が側方から見た場合において少なくとも一部が熱交換部に重なるように配置される限り、自由にファンモータ本体を配置することができる。したがって、この冷凍装置の室外機では、例えば、圧縮機などが配置される機械室にファンモータ本体を配置することも可能となる。
第４発明に係る冷凍装置の室外機は、奥行き方向にさらにコンパクト化されることが可能である。
【発明を実施するための最良の形態】
【００１２】
＜第１実施形態＞
図１には、本発明の第１実施形態に係る空気調和装置１の外観を示す。
この空気調和装置１は、セパレート型の空気調和装置であり、室内の天井裏に埋設される天井埋設型の室内機２と、室外に設置される室外機３とを備える。
室内機２内には室内熱交換器が収納され、室外機３内には室外熱交換器が収納されており、各熱交換器が冷媒配管４により接続されることにより冷媒回路を構成している。
【００１３】
［空気調和機の冷媒回路の構成概略］
空気調和装置１の冷媒回路の構成を図２に示す。この冷媒回路は、主として室内熱交換器２０、アキュムレータ３１、圧縮機３２、四路切換弁３３、室外熱交換器１３０及び電動膨張弁３４で構成される。
室内機２に設けられている室内熱交換器２０は、接触する空気との間で熱交換を行う。また、室内機２には、室内空気を吸い込んで室内熱交換器２０に通し熱交換が行われた後の空気を室内に排出するための遠心送風機２３が設けられている。遠心送風機２３は、本実施形態において、ターボファンであり、本体ケーシングの天板の中央に設けられたファンモータ２２と、ファンモータ２２に連結されて回転駆動される羽根車２１とを有している。遠心送風機２３は、羽根車２１の内部に室内空気を吸入し、羽根車２１の外周側に吹き出す。
【００１４】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器１３０と、室外熱交換器１３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８では、プロペラファンロータ４０がファンモータ３９によって回転駆動される。
【００１５】
［室外機の構成］
ここでは、図３、図４、図５、図６、および図７を用いて室外機３の詳細について説明する。図３は、第１実施形態に係る室外機３の側方透視図である。図４は、第１実施形態に係る室外機３の室外熱交換器１３０の外観斜視図である。図５は、第１実施形態に係る室外機３の室外熱交換器１３０の部分前面図である。図６は、第１実施形態に係る室外機３のプロペラファン３８の側方透視図である。図７は、第１実施形態に係る室外機３のプロペラファン３８の前方透視図である。なお、これらの図面において、Ｘを幅方向、Ｙを奥行き方向、Ｚを高さ方向とし、Ｘ１を右方、Ｘ２を左方、Ｙ１を前方、Ｙ２を後方、Ｚ１を上方、Ｚ２を下方とする。
【００１６】
（１）ケーシング
ケーシング５０は、図３に示されるように、前面パネル５０ｂ、上面パネル５０ａ、下面パネル５０ｆ、右側面パネル（図示せず）、および左側面パネル（図１参照）から構成される。後面には、パネルは存在せず、室外熱交換器３０の防護ネット５０ｅが設けられているのみである。前面パネル５０ｂには、図１および図３に示されるように、ケーシング５０内の空気をケーシング５０の外部へと排出するための吹出しグリル５０ｃが設けられている。下面パネル５０ｆには、図示しないドレンパン等の部材が配置されている。右側面パネルには、屋外の空気をケーシング５０内に吸い込むための複数の開口が設けられている。
【００１７】
（２）機械室
図示しない機械室は、図１７に示される従来の室外機と同様に、室外機３の左斜め前方に設けられ仕切板によって区画されている。この機械室には、主として、上述した圧縮機３２、四路切換弁３３、アキュムレータ３１、電動膨張弁３４、フィルタ３５、液閉鎖弁３６、および室内機２および室外機３の各種運転を監視制御するための電装品が充填される電装品箱などが収容されている。
【００１８】
（３）室外熱交換器
室外熱交換器１３０は、図４に示されるように、複数本のヘアピン形状の管を接続して構成される伝熱管７１と、伝熱管７１が挿通される複数の放熱フィン７０とからなるクロスフィンチューブ型の熱交換器パネルである。この室外熱交換器１３０は、一枚の熱交換パネルを、上方から見た場合において略Ｌ字状になるように曲げたものであって、ケーシング５０の後面と右側面とに沿うように配置される（以下、室外熱交換器３０のうち、ケーシング５０の後面に沿って設けられる部分を後面熱交換部１３０ａといい、ケーシング５０の右側面に沿って設けられる部分を側面熱交換部１３０ｂという）。なお、この室外熱交換器１３０では、伝熱管７１は２列設けられている（図４参照）。また、各列において、伝熱管７１は、第１伝熱管７１ａと第２伝熱管７１ｂとから構成されている（図５参照）。第２伝熱管７１ｂは室外熱交換器１３０のうちファンモータ挿入空間Ｓｍ（後述）（図４参照）の左方Ｘ２の部分を通るように形成・配置されており、第１伝熱管７１ａはその他の室外熱交換器１３０の部分を通るように形成・配置されている（図５参照）。そして、後面熱交換部１３０ａには、図３、図４、および図５に示されるように、パネル厚方向に貫通する正方形の貫通孔が設けられる。この正方形の辺の長さはファンモータ３９の外直径よりも大きくなるように設計されているため、この貫通孔には、ファンモータ３９を挿通することが可能である（以下、この貫通孔をファンモータ挿入空間Ｓｍという）。なお、ファンモータ３９がファンモータ挿入空間Ｓｍに挿入された状態においてファンモータ挿入空間Ｓｍには隙間が生じるが、その隙間は隙間充填部材６５によって詰められる。また、側面熱交換部１３０ｂの放熱フィン７０配列方向の長さは、室外機の薄型化により、従来の室外熱交換器（図１４参照）のそれよりも短くなっている。
【００１９】
（４）プロペラファン
プロペラファン３８は、図３および図６に示されるように、主に、ファンモータ３９、ファンモータ３９の回転軸に沿って延びる回転シャフト４４、および回転中心Ｏに回転シャフト４４が結合されるプロペラファンロータ４０から構成されている。なお、このプロペラファン３８は、図３に示されるように、ファンモータ３９が取付金具などを介して固定台６３に固定されることによって固定されている。
【００２０】
プロペラファンロータ４０は、図６および図７に示されるように、主に、ボス部４０ａ、およびボス部４０ａの外周に設けられる３枚の翼部４０ｂから構成される。なお、このプロペラファンロータ４０は樹脂成形品であり、ボス部４０ａと翼部４０ｂとは一体成形されている。ボス部４０ａは、主に、回転シャフト４４と結合される回転シャフト結合部４０ｃ、回転シャフト結合部４０ｃの回転シャフト４４挿入側の反対側の端部の外周から回転軸Ｌに垂直な面状に回転中心Ｏを中心として円形に広がる前板部４０ｆ、および前板部４０ｆの外周部から回転シャフト４４の挿入方向の反対側に向かって回転軸Ｌに沿って延びる円筒部４０ｇから構成されている。なお、これら、回転シャフト結合部４０ｃ、前板部４０ｆ、および円筒部４０ｇも樹脂により一体成形されている。さらに、前板部４０ｆには板厚方向に貫通する４つの通気孔４０ｅが設けられており、円筒部４０ｇの開口側の内周には回転軸Ｌに向かって突起する突起部４０ｄが複数設けられている。そして、突起部４０ｄを回転軸Ｌに直交する面で切った断面図において、回転中心Ｏから突起部４０ｄの先端に至る長さは、ファンモータ３９の外半径よりも大きくなるように設計されている。
【００２１】
回転シャフト４４は、ファンモータ３９が所定の長さだけプロペラファンロータ４０のボス部４０ａに収容されるように長さが調節されている。
そして、ファンモータ３９が通電されると、プロペラファンロータ４０が回転し、回転軸Ｌに沿った方向に空気流れが生じる。この結果、屋外の空気が、後面側から室外熱交換器１３０に供給され（図３白抜き矢印Ｆｓ参照）、室外熱交換器１３０の伝熱管７１に流れる冷媒と熱交換した後、ベルマウス４５を介して前面パネル５０ｂの吹出しグリル５０ｃから排出される（図３白抜き矢印Ｆｅ参照）。
【００２２】
［空気調和装置の室外機の特徴］
（１）
第１実施形態に係る空気調和装置１の室外機３では、後面熱交換部１３０ａにファンモータ挿入空間Ｓｍが設けられ、ファンモータ３９がそのファンモータ挿入空間Ｓｍに挿入されている。また、この空気調和装置１の室外機３では、プロペラファンロータ４０のボス部４０ａにファンモータ３９の一部が挿入される。このため、この空気調和装置１の室外機３は、従来の冷凍装置の室外機における奥行き方向Ｙにコンパクト化されている（実際の室外機では約２割程度コンパクト化できる。）。
【００２３】
（２）
第１実施形態に係る空気調和装置１の室外機３では、ボス部４０ａの前板部４０ｆには板厚方向に貫通する４つの通気孔４０ｅが設けられており、ボス部４０ａの円筒部４０ｇの開口側の内周には回転軸Ｌに向かって突起する突起部４０ｄが複数設けられている。このため、この空気調和装置１の室外機３では、ファンモータ３９の周囲に空気流れが生じ、ファンモータ３９が有効に冷却される。
【００２４】
（３）
第１実施形態に係る空気調和装置１の室外機３では、ファンモータ３９がファンモータ挿入空間Ｓｍに挿入された状態においてファンモータ挿入空間Ｓｍに隙間が生じるが、その隙間は隙間充填部材６５によって詰められる。このため、この空気調和装置１の室外機３では、室外熱交換器１３０への通風量が減少することを防止している。
【００２５】
（４）
第１実施形態に係る空気調和装置１の室外機３では、後面熱交換部１３０ａを通過してきた空気が直接ファンモータ３９に接しない。このため、この空気調和装置１の室外機３では、ファンモータ３９の温度上昇を抑制することができる。
［変形例］
（Ａ）
第１実施形態に係る空気調和装置１の室外機３では、ファンモータ３９の一部がプロペラファンロータ４０のボス部４０ａに挿入された。しかし、ボス部の円筒部の回転軸方向の長さがファンモータ３９のそれよりも大きい場合、ファンモータ３９の全部がボス部に挿入されてもかまわない。
【００２６】
（Ｂ）
第１実施形態に係る空気調和装置１の室外機３では、ボス部４０ａの円筒部４０ｇの開口側の内周に突起部４０ｄが複数設けられたが、ボス部４０ａの円筒部４０ｇの開口側の内周に溝を付けることによりファンモータ３９の周囲に空気流れを生じさせるようにしてもよい。
【００２７】
（Ｃ）
第１実施形態に係る空気調和装置１の室外機３では、特に言及しなかったが、ファンモータ３９の周囲にさらに多量の空気流れを生じさせるため、ボス部４０ａの円筒部４０ｇの開口側の端部に空気導入部材４０ｈ（図８参照）を設けてもよい。空気導入部材４０ｈは、ボス部４０ａなどと一体として設けられてもよいし、別部材として形成された後に接着されてもよい。
【００２８】
（Ｄ）
第１実施形態に係る空気調和装置１の室外機３では、後面熱交換部１３０ａに後面熱交換部１３０ａを板厚方向に貫通する貫通孔であるファンモータ挿入空間Ｓｍを設け、そこにファンモータ３９を挿入した。しかし、室外機３を奥行き方向Ｙにコンパクト化するためには、必ず貫通孔が必要であるという訳ではない。例えば、図９および図１０に示されるように、室外機３ａの室外熱交換器１３１の後面熱交換部１３１ａに凹部Ｓｍ’を設け、その凹部Ｓｍ’にファンモータ３９の後端部分を挿入してもよい。この室外熱交換器１３１では、第１実施形態の室外熱交換器１３０と同様、伝熱管７１が２列設けられているが、この２列の伝熱管７１のうち、ファンモータ３９に対向する列の伝熱管７１のみが第１実施形態に示されたように第１伝熱管と第２伝熱管とから構成されており、他の列の伝熱管７１は、従来の室外熱交換器と同様、１本の伝熱管７１から構成されている。なお、室外熱交換器１３１がこのような構成を採る場合、ファンモータ３９は、第１実施形態と同様の態様で固定台６３に固定されてもよいし室外熱交換器１３１の伝熱管７１や放熱フィンに固定されてもよい。
【００２９】
（Ｅ）
第１実施形態に係る空気調和装置１の室外機３では、ボス部４０ａの円筒部４０ｇの開口側の内周に突起部４０ｄが複数設けられたが、このような突起部は、ファンモータ３９の外周に放射状に設けられてもよい。
＜第２実施形態＞
ここでは、第２実施形態に係る空気調和装置について説明する。第２実施形態に係る空気調和装置は、室外熱交換器にファンモータ挿入空間が設けられないこと（つまり、本実施形態の室外熱交換器は、側面熱交換部の放熱フィン配列方向の長さが従来の室外熱交換器の側面熱交換部のそれよりも短いだけの室外熱交換器である）、およびプロペラファンにギア駆動機構ＧＲが設けられることを除いて、第１実施形態に係る空気調和装置とほぼ同様の構成を有する。したがって、ここでは、プロペラファンに焦点を当てて説明を行う。なお、この説明については、図１１、図１２、および図１３を参照しながら行う。図１１は、第２実施形態に係る室外機１０３の側方透視図である。図１２は、第２実施形態に係る室外機１０３の前方透視図である。図１３は、第２実施形態に係る室外機１０３のプロペラファン１３８に採用されるヘリカルギアの外観斜視図である。なお、これらの図面において、Ｘを幅方向、Ｙを奥行き方向、Ｚを高さ方向とし、Ｘ１を右方、Ｘ２を左方、Ｙ１を前方、Ｙ２を後方、Ｚ１を上方、Ｚ２を下方とする。
【００３０】
第２実施形態に係る空気調和装置の室外機１０３に採用されるプロペラファン１３８は、主に、ファンモータ３９、ファンモータ３９の回転軸に沿って延びる第１回転シャフト４４、ファンモータ３９の回転軸と直交する回転軸を有するプロペラファンロータ１４０、プロペラファンロータ１４０の回転軸に沿って延びる第２回転シャフト１６８、第１回転シャフト４４の回転方向を９０度曲げ第２回転シャフトを介してプロペラファンロータ１４０を回転させるためのヘリカルギアボックス１６５、および第２回転シャフト１６８を支える軸受け１６６から構成される。
【００３１】
プロペラファンロータ１４０は、ボス部の前板部に板厚方向に貫通する４つの通気孔が設けられていないこと、および円筒部の開口側の内周に回転軸に向かって突起する突起部が設けられていないことを除いて、第１実施形態に係るプロペラファンロータと同様の構成を有する。
第２回転シャフト１６８は、一端がプロペラファンロータ１４０のボス部の回転シャフト結合部に結合され、他端がヘリカルギアボックス１６５内のヘリカルギア１６５ｃ（図１３参照）の第１歯車１６５ａに連結される。なお、ヘリカルギアボックス１６５は、固定台に固定されている（図１１参照）。
【００３２】
ファンモータ３９は、第１実施形態に係るファンモータと同一のファンモータである。このファンモータ３９は、室外機１０３の機械室６１に配置されている。また、このファンモータ３９は、側方から見た場合において室外熱交換器２３０の後面熱交換部２３０ａと重なるように配置されている。また、このファンモータ３９は、回転軸がプロペラファンロータ４０の回転軸と直交するように、所定の角度、上方Ｚ１に傾けられて固定されている。
【００３３】
第１回転シャフト４４は、機械室６１に配置されるファンモータ３９から機械室６１を仕切る仕切板１６２の開口（図示せず）を介してファンモータ３９の回転軸に沿って延び、ヘリカルギアボックス１６５ｃの第２歯車１６５ｂに連結されている。
このようなプロペラファン１３８において、ファンモータ３９が通電されると、先ず、第１回転シャフト４４が回転する。そして、ヘリカルギア１６５ｃにより第１回転シャフト４４の回転が第２回転シャフト１６８に伝達され、第２回転シャフト１６８が回転する。このとき、回転方向は、９０度曲げられる。そして、第２回転シャフト１６８の回転によりプロペラファンロータ１４０が回転する。
【００３４】
［空気調和装置の室外機の特徴］
第２実施形態に係る空気調和装置の室外機１０３では、ファンモータ３９が、機械室６１に配置されている。また、このファンモータ３９は、側方から見た場合において室外熱交換器２３０の後面熱交換部２３０ａと重なるように配置されている。また、このファンモータ３９は、回転軸がプロペラファンロータ１４０の回転軸と直交するように所定の角度傾けられて固定されており、第１回転シャフト４４、ヘリカルギアボックス１６５、および第２回転シャフト１６８を介してプロペラファンロータ４０を回転駆動させることができる。この室外機１０３は、プロペラファン１３８がこのような構造を採ることによって、奥行き方向Ｙにコンパクト化されている。また、この室外機１０３には、ファンモータ３９の配置の自由度が高いという特徴もある。
【００３５】
［変形例］
（Ａ）
第２実施形態に係る空気調和装置の室外機１０３では、第１回転シャフト４４の回転方向がヘリカルギア１６５ｃにより９０度曲げられたが、第１回転シャフト４４の回転方向は、図１４に示されるようなねじ歯車１６５ｄにより９０度に曲げられてもかまわない。
【００３６】
（Ｂ）
第２実施形態に係る空気調和装置の室外機１０３では、ギア駆動機構ＧＲを採用することによってファンモータ３９を機械室６１に配置することができた。しかし、図１５および図１６に示されるように、ベルト駆動機構ＢＬを採用してもファンモータ３９を機械室６１に配置することができる。
【００３７】
ここで、図１５は、本変形例に係る室外機２０３の側方透視図である。図１６は、本変形例に係る室外機２０３の前方透視図である。なお、これらの図面において、Ｘを幅方向、Ｙを奥行き方向、Ｚを高さ方向とし、Ｘ１を右方、Ｘ２を左方、Ｙ１を前方、Ｙ２を後方、Ｚ１を上方、Ｚ２を下方とする。
この室外機２０３に採用されるプロペラファン２３８は、主に、ファンモータ３９、ファンモータ３９の回転軸に沿って延びる第１プーリシャフト２４４、ファンモータ３９の回転軸と平行な回転軸を有するプロペラファンロータ１４０、プロペラファンロータ１４０の回転軸に沿って延びる第２プーリシャフト２６８、機械室６１を仕切る仕切板１６２の開口（図示せず）を介して第１プーリシャフト２４４のプーリ部と第２プーリシャフト２６８のプーリ部とに巻架される環状ベルト２６９、および第２プーリシャフト２６８を支える２つの軸受け２６６，２６７から構成される。
【００３８】
プロペラファンロータ１４０は、第２実施形態に係るプロペラファンロータと同様の構成を有する。
第２プーリシャフト２６８は、２つの軸受け２６６，２６７によって支持されており、一端がプロペラファンロータ１４０のボス部の回転シャフト結合部に結合される。
ファンモータ３９は、第２実施形態に係るファンモータと同一のファンモータである。このファンモータ３９は、回転軸が奥行き方向Ｙに沿うように、かつ、第１プーリシャフト２４４の突出側が前方Ｙ１を向くように配置されている。また、このファンモータ３９は、側方から見た場合において室外熱交換器２３０の後面熱交換部２３０ａと重なるように配置されている。
【００３９】
このようなプロペラファン１３８において、ファンモータ３９が通電されると、先ず、第１プーリシャフト２４４が回転する。そして、環状ベルト２６９により第１プーリシャフト２４４の回転が第２プーリシャフト２６８に伝達され、第２プーリシャフト２６８が回転する。そして、第２プーリシャフト２６８の回転によりプロペラファンロータ１４０が回転する。
【００４０】
（Ｃ）
第２実施形態に係る空気調和装置の室外機２０３では、ファンモータ３９が機械室６１に配置されたが、ファンモータ３９は、第１実施形態や第１実施形態の変形例（Ｄ）に示されるように、室外熱交換器の後面熱交換部に設けられる貫通孔や凹部などに配置されてもよい。この際、貫通孔や凹部は、後面熱交換部の内部にあってもよいし端部にあってもよい。
【産業上の利用可能性】
【００４１】
本発明に係る冷凍装置の室外機は、奥行き方向にコンパクト化されているという特徴を有し、冷凍装置の室外機の設置場所の制約を緩和することができる。
【図面の簡単な説明】
【００４２】
【図１】本発明の第１実施形態に係る空気調和装置の外観斜視図。
【図２】本発明の第１実施形態に係る空気調和装置の冷媒回路の構成図。
【図３】本発明の第１実施形態に係る室外機の側方透視図。
【図４】本発明の第１実施形態に係る室外機の室外熱交換器の外観斜視図。
【図５】本発明の第１実施形態に係る室外機の室外熱交換器の部分前面図。
【図６】本発明の第１実施形態に係る室外機のプロペラファンの側方透視図。
【図７】本発明の第１実施形態に係る室外機のプロペラファンの前方透視図。
【図８】第１実施形態の変形例（Ｃ）に係る室外機のプロペラファンの側方透視図。
【図９】第１実施形態の変形例（Ｄ）に係る室外機の側方透視図。
【図１０】第１実施形態の変形例（Ｄ）に係る室外機の室外熱交換器の外観斜視図。
【図１１】本発明の第２実施形態に係る室外機の側方透視図。
【図１２】本発明の第２実施形態に係る室外機の前方透視図。
【図１３】本発明の第２実施形態に係る室外機のプロペラファンに採用されるヘリカルギアの外観斜視図。
【図１４】第２実施形態の変形例（Ａ）に係るねじ歯車の外観斜視図。
【図１５】第２実施形態の変形例（Ｂ）に係る室外機の側方透視図。
【図１６】第２実施形態の変形例（Ｂ）に係る室外機の前方透視図。
【図１７】従来の室外機の内部の様子を示す斜視図。
【図１８】従来の室外機の側方透視図。
【符号の説明】
【００４３】
３，３ａ，１０３，２０３      室外機
３９      ファンモータ（ファンモータ本体）
４０，１４０      プロペラファンロータ（軸流ファンロータ）
４０ａ      ボス部
１３０ａ，１３１ａ，２３０ａ      後面熱交換部（熱交換部）
ＢＬ      ベルト駆動機構（回転動力伝達機構）
ＧＬ      ギア駆動機構（回転動力伝達機構）
Ｓｍ，Ｓｍ’      ファンモータ挿入空間（ファンモータ本体挿入空間）
Ｙ      奥行き方向
【図１】
2006084050.tif 000003
【図２】
2006084050.tif 000004
【図３】
2006084050.tif 000005
【図４】
2006084050.tif 000006
【図５】
2006084050.tif 000007
【図６】
2006084050.tif 000008
【図７】
2006084050.tif 000009
【図８】
2006084050.tif 000010
【図９】
2006084050.tif 000011
【図１０】
2006084050.tif 000012
【図１１】
2006084050.tif 000013
【図１２】
2006084050.tif 000014
【図１３】
2006084050.tif 000015
【図１４】
2006084050.tif 000016
【図１５】
2006084050.tif 000017
【図１６】
2006084050.tif 000018
【図１７】
2006084050.tif 000019
【図１８】
2006084050.tif 000020
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
奥行き方向（Ｙ）に直交する面である第１面に沿って広がる熱交換部（１３０ａ，１３１ａ）と、
側方から見た場合において少なくとも一部が前記熱交換部に重なるように配置されるファンモータ本体（３９）と、
奥行き方向に沿った第１回転軸（Ｌ）と、前記ファンモータ本体の少なくとも一部を包容するように奥行き方向に沿って筒状に形成されるボス部（４０ａ）と、前記ボス部に設けられる通気孔（４０ｅ）と、前記ボス部の開口側の端部に設けられる空気導入部材（４０ｈ）とを有し、前記ファンモータ本体によって駆動される軸流ファンロータ（４０）と、
を備える、冷凍装置の室外機（３ａ）。
【請求項２】
前記空気導入部材は、前記第１回転軸を含む面で切った断面を見た場合において、前記ボス部の開口側の端部から前記熱交換部へ向かうにつれて前記第１回転軸に向かう方向と反対方向に広がる部材である、
請求項１に記載の冷凍装置の室外機。
【請求項３】
前記軸流ファンロータは、前記ボス部の内周面から第１回転軸に向かって突起する複数の突起部（４０ｄ）をさらに有する、
請求項１または２に記載の冷凍装置の室外機。
【請求項４】
前記熱交換部は、前記ファンモータ本体の少なくとも一部を挿入可能な空間であるファンモータ本体挿入空間（Ｓｍ，Ｓｍ’）を有する、
請求項１から３のいずれかに記載の冷凍装置の室外機。
【手続補正２】
【補正対象書類名】明細書
【補正対象項目名】全文
【補正方法】変更
【補正の内容】
【発明の詳細な説明】
【技術分野】
【０００１】
本発明は、冷凍装置の室外機に関する。
【背景技術】
【０００２】
従来、図１７および図１８に示されるような空気調和装置（冷凍装置）の室外機５０３がある。この室外機５０３では、図１８に示されるように、ファンモータ３９が、側方から見た場合において、室外熱交換器３０のうち後面に広がる後面熱交換部３０ａとプロペラファンロータ４０との間に配置されている。
【特許文献１】特開平５−３１２３５２号公報
【発明の開示】
【発明が解決しようとする課題】
【０００３】
ところで、近年、室外機の設置スペースを十分にとれない場合があり、室外機を奥行き方向にコンパクト化したいという要望がある。
【０００４】
本発明の課題は、奥行き方向にコンパクト化された冷凍装置の室外機を提供することにある。
【課題を解決するための手段】
【０００５】
第１発明に係る冷凍装置の室外機は、熱交換部、ファンモータ本体、および軸流ファンロータを備える。熱交換部は、奥行き方向に直交する面である第１面に沿って広がる。ファンモータ本体は、側方から見た場合において少なくとも一部が熱交換部に重なるように配置される。軸流ファンロータは、奥行き方向に沿った第１回転軸、ボス部、通気孔、および空気導入部材を有する。ボス部は、ファンモータ本体の少なくとも一部を包容するように奥行き方向に沿って筒状に形成される。通気孔は、ボス部に設けられる。空気導入部材は、ボス部の開口側の端部に設けられる。そして、この軸流ファンロータは、ファンモータ本体によって駆動される。
【０００６】
この冷凍装置の室外機では、ファンモータ本体が、側方から見た場合において少なくとも一部が熱交換部に重なるように配置され、さらに、軸流ファンロータのボス部にファンモータ本体の少なくとも一部が挿入される。このため、この冷凍装置の室外機は、奥行き方向にコンパクト化されることが可能である。また、この冷凍装置の室外機では、ボス部に通気孔および空気導入部材が設けられる。このため、この冷凍装置の室外機では、ファンモータ本体の周囲に多量の空気流れが生じ、ファンモータ本体が有効に冷却される。
【０００７】
第２発明に係る冷凍装置の室外機は、第１発明に係る冷凍装置の室外機であって、空気導入部材は、第１回転軸を含む面で切った断面を見た場合において、ボス部の開口側の端部から熱交換部へ向かうにつれて第１回転軸に向かう方向と反対方向に広がる部材である。
【０００８】
第３発明に係る冷凍装置の室外機は、第１発明または第２発明に係る冷凍装置の室外機であって、軸流ファンロータは、複数の突起部をさらに有する。突起部は、ボス部の内周面から第１回転軸に向かって突起する。
【０００９】
この冷凍装置の室外機では、軸流ファンロータが、複数の突起部をさらに有する。このため、この冷凍装置の室外機では、ファンモータ本体の周囲に空気流れが生じ、ファンモータ本体が有効に冷却される。
【００１０】
第４発明に係る冷凍装置の室外機は、第１発明から第３発明のいずれかに係る冷凍装置の室外機であって、熱交換部は、ファンモータ本体挿入空間を有する。ファンモータ本体挿入空間は、ファンモータ本体の少なくとも一部を挿入可能である。ファンモータ本体挿入空間は、前方から見た場合において熱交換部の内部に設けられてもよいし端部に設けられてもよい。
【００１１】
この冷凍装置の室外機では、熱交換部が、ファンモータ本体挿入空間を有する。このため、この冷凍装置の室外機は、熱交換部の配置に関わらず、奥行き方向にコンパクト化されることが可能である。
【発明の効果】
【００１２】
第１発明に係る冷凍装置の室外機は、奥行き方向にコンパクト化されることが可能である。また、この冷凍装置の室外機では、ファンモータ本体の周囲に多量の空気流れが生じ、ファンモータ本体が有効に冷却される。
【００１３】
第３発明に係る冷凍装置の室外機では、ファンモータ本体の周囲に空気流れが生じ、ファンモータ本体が有効に冷却される。
【００１４】
第４発明に係る冷凍装置の室外機は、熱交換部の配置に関わらず、奥行き方向にコンパクト化されることが可能である。
【発明を実施するための最良の形態】
【００１５】
＜第１実施形態＞
図１には、本発明の第１実施形態に係る空気調和装置１の外観を示す。
【００１６】
この空気調和装置１は、セパレート型の空気調和装置であり、室内の天井裏に埋設される天井埋設型の室内機２と、室外に設置される室外機３とを備える。
【００１７】
室内機２内には室内熱交換器が収納され、室外機３内には室外熱交換器が収納されており、各熱交換器が冷媒配管４により接続されることにより冷媒回路を構成している。
【００１８】
［空気調和機の冷媒回路の構成概略］
空気調和装置１の冷媒回路の構成を図２に示す。この冷媒回路は、主として室内熱交換器２０、アキュムレータ３１、圧縮機３２、四路切換弁３３、室外熱交換器１３０及び電動膨張弁３４で構成される。
【００１９】
室内機２に設けられている室内熱交換器２０は、接触する空気との間で熱交換を行う。また、室内機２には、室内空気を吸い込んで室内熱交換器２０に通し熱交換が行われた後の空気を室内に排出するための遠心送風機２３が設けられている。遠心送風機２３は、本実施形態において、ターボファンであり、本体ケーシングの天板の中央に設けられたファンモータ２２と、ファンモータ２２に連結されて回転駆動される羽根車２１とを有している。遠心送風機２３は、羽根車２１の内部に室内空気を吸入し、羽根車２１の外周側に吹き出す。
【００２０】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器１３０と、室外熱交換器１３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８では、プロペラファンロータ４０がファンモータ３９によって回転駆動される。
【００２１】
［室外機の構成］
ここでは、図３、図４、図５、図６、および図７を用いて室外機３の詳細について説明する。図３は、第１実施形態に係る室外機３の側方透視図である。図４は、第１実施形態に係る室外機３の室外熱交換器１３０の外観斜視図である。図５は、第１実施形態に係る室外機３の室外熱交換器１３０の部分前面図である。図６は、第１実施形態に係る室外機３のプロペラファン３８の側方透視図である。図７は、第１実施形態に係る室外機３のプロペラファン３８の前方透視図である。なお、これらの図面において、Ｘを幅方向、Ｙを奥行き方向、Ｚを高さ方向とし、Ｘ１を右方、Ｘ２を左方、Ｙ１を前方、Ｙ２を後方、Ｚ１を上方、Ｚ２を下方とする。
【００２２】
（１）ケーシング
ケーシング５０は、図３に示されるように、前面パネル５０ｂ、上面パネル５０ａ、下面パネル５０ｆ、右側面パネル（図示せず）、および左側面パネル（図１参照）から構成される。後面には、パネルは存在せず、室外熱交換器３０の防護ネット５０ｅが設けられているのみである。前面パネル５０ｂには、図１および図３に示されるように、ケーシング５０内の空気をケーシング５０の外部へと排出するための吹出しグリル５０ｃが設けられている。下面パネル５０ｆには、図示しないドレンパン等の部材が配置されている。右側面パネルには、屋外の空気をケーシング５０内に吸い込むための複数の開口が設けられている。
【００２３】
（２）機械室
図示しない機械室は、図１７に示される従来の室外機と同様に、室外機３の左斜め前方に設けられ仕切板によって区画されている。この機械室には、主として、上述した圧縮機３２、四路切換弁３３、アキュムレータ３１、電動膨張弁３４、フィルタ３５、液閉鎖弁３６、および室内機２および室外機３の各種運転を監視制御するための電装品が充填される電装品箱などが収容されている。
【００２４】
（３）室外熱交換器
室外熱交換器１３０は、図４に示されるように、複数本のヘアピン形状の管を接続して構成される伝熱管７１と、伝熱管７１が挿通される複数の放熱フィン７０とからなるクロスフィンチューブ型の熱交換器パネルである。この室外熱交換器１３０は、一枚の熱交換パネルを、上方から見た場合において略Ｌ字状になるように曲げたものであって、ケーシング５０の後面と右側面とに沿うように配置される（以下、室外熱交換器３０のうち、ケーシング５０の後面に沿って設けられる部分を後面熱交換部１３０ａといい、ケーシング５０の右側面に沿って設けられる部分を側面熱交換部１３０ｂという）。なお、この室外熱交換器１３０では、伝熱管７１は２列設けられている（図４参照）。また、各列において、伝熱管７１は、第１伝熱管７１ａと第２伝熱管７１ｂとから構成されている（図５参照）。第２伝熱管７１ｂは室外熱交換器１３０のうちファンモータ挿入空間Ｓｍ（後述）（図４参照）の左方Ｘ２の部分を通るように形成・配置されており、第１伝熱管７１ａはその他の室外熱交換器１３０の部分を通るように形成・配置されている（図５参照）。そして、後面熱交換部１３０ａには、図３、図４、および図５に示されるように、パネル厚方向に貫通する正方形の貫通孔が設けられる。この正方形の辺の長さはファンモータ３９の外直径よりも大きくなるように設計されているため、この貫通孔には、ファンモータ３９を挿通することが可能である（以下、この貫通孔をファンモータ挿入空間Ｓｍという）。なお、ファンモータ３９がファンモータ挿入空間Ｓｍに挿入された状態においてファンモータ挿入空間Ｓｍには隙間が生じるが、その隙間は隙間充填部材６５によって詰められる。また、側面熱交換部１３０ｂの放熱フィン７０配列方向の長さは、室外機の薄型化により、従来の室外熱交換器（図１４参照）のそれよりも短くなっている。
【００２５】
（４）プロペラファン
プロペラファン３８は、図３および図６に示されるように、主に、ファンモータ３９、ファンモータ３９の回転軸に沿って延びる回転シャフト４４、および回転中心Ｏに回転シャフト４４が結合されるプロペラファンロータ４０から構成されている。なお、このプロペラファン３８は、図３に示されるように、ファンモータ３９が取付金具などを介して固定台６３に固定されることによって固定されている。
【００２６】
プロペラファンロータ４０は、図６および図７に示されるように、主に、ボス部４０ａ、およびボス部４０ａの外周に設けられる３枚の翼部４０ｂから構成される。なお、このプロペラファンロータ４０は樹脂成形品であり、ボス部４０ａと翼部４０ｂとは一体成形されている。ボス部４０ａは、主に、回転シャフト４４と結合される回転シャフト結合部４０ｃ、回転シャフト結合部４０ｃの回転シャフト４４挿入側の反対側の端部の外周から回転軸Ｌに垂直な面状に回転中心Ｏを中心として円形に広がる前板部４０ｆ、および前板部４０ｆの外周部から回転シャフト４４の挿入方向の反対側に向かって回転軸Ｌに沿って延びる円筒部４０ｇから構成されている。なお、これら、回転シャフト結合部４０ｃ、前板部４０ｆ、および円筒部４０ｇも樹脂により一体成形されている。さらに、前板部４０ｆには板厚方向に貫通する４つの通気孔４０ｅが設けられており、円筒部４０ｇの開口側の内周には回転軸Ｌに向かって突起する突起部４０ｄが複数設けられている。そして、突起部４０ｄを回転軸Ｌに直交する面で切った断面図において、回転中心Ｏから突起部４０ｄの先端に至る長さは、ファンモータ３９の外半径よりも大きくなるように設計されている。
【００２７】
回転シャフト４４は、ファンモータ３９が所定の長さだけプロペラファンロータ４０のボス部４０ａに収容されるように長さが調節されている。
【００２８】
そして、ファンモータ３９が通電されると、プロペラファンロータ４０が回転し、回転軸Ｌに沿った方向に空気流れが生じる。この結果、屋外の空気が、後面側から室外熱交換器１３０に供給され（図３白抜き矢印Ｆｓ参照）、室外熱交換器１３０の伝熱管７１に流れる冷媒と熱交換した後、ベルマウス４５を介して前面パネル５０ｂの吹出しグリル５０ｃから排出される（図３白抜き矢印Ｆｅ参照）。
【００２９】
［空気調和装置の室外機の特徴］
（１）
第１実施形態に係る空気調和装置１の室外機３では、後面熱交換部１３０ａにファンモータ挿入空間Ｓｍが設けられ、ファンモータ３９がそのファンモータ挿入空間Ｓｍに挿入されている。また、この空気調和装置１の室外機３では、プロペラファンロータ４０のボス部４０ａにファンモータ３９の一部が挿入される。このため、この空気調和装置１の室外機３は、従来の冷凍装置の室外機における奥行き方向Ｙにコンパクト化されている（実際の室外機では約２割程度コンパクト化できる。）。
【００３０】
（２）
第１実施形態に係る空気調和装置１の室外機３では、ボス部４０ａの前板部４０ｆには板厚方向に貫通する４つの通気孔４０ｅが設けられており、ボス部４０ａの円筒部４０ｇの開口側の内周には回転軸Ｌに向かって突起する突起部４０ｄが複数設けられている。このため、この空気調和装置１の室外機３では、ファンモータ３９の周囲に空気流れが生じ、ファンモータ３９が有効に冷却される。
【００３１】
（３）
第１実施形態に係る空気調和装置１の室外機３では、ファンモータ３９がファンモータ挿入空間Ｓｍに挿入された状態においてファンモータ挿入空間Ｓｍに隙間が生じるが、その隙間は隙間充填部材６５によって詰められる。このため、この空気調和装置１の室外機３では、室外熱交換器１３０への通風量が減少することを防止している。
【００３２】
（４）
第１実施形態に係る空気調和装置１の室外機３では、後面熱交換部１３０ａを通過してきた空気が直接ファンモータ３９に接しない。このため、この空気調和装置１の室外機３では、ファンモータ３９の温度上昇を抑制することができる。
【００３３】
［変形例］
（Ａ）
第１実施形態に係る空気調和装置１の室外機３では、ファンモータ３９の一部がプロペラファンロータ４０のボス部４０ａに挿入された。しかし、ボス部の円筒部の回転軸方向の長さがファンモータ３９のそれよりも大きい場合、ファンモータ３９の全部がボス部に挿入されてもかまわない。
【００３４】
（Ｂ）
第１実施形態に係る空気調和装置１の室外機３では、ボス部４０ａの円筒部４０ｇの開口側の内周に突起部４０ｄが複数設けられたが、ボス部４０ａの円筒部４０ｇの開口側の内周に溝を付けることによりファンモータ３９の周囲に空気流れを生じさせるようにしてもよい。
【００３５】
（Ｃ）
第１実施形態に係る空気調和装置１の室外機３では、特に言及しなかったが、ファンモータ３９の周囲にさらに多量の空気流れを生じさせるため、ボス部４０ａの円筒部４０ｇの開口側の端部に空気導入部材４０ｈ（図８参照）を設けてもよい。空気導入部材４０ｈは、ボス部４０ａなどと一体として設けられてもよいし、別部材として形成された後に接着されてもよい。
【００３６】
（Ｄ）
第１実施形態に係る空気調和装置１の室外機３では、後面熱交換部１３０ａに後面熱交換部１３０ａを板厚方向に貫通する貫通孔であるファンモータ挿入空間Ｓｍを設け、そこにファンモータ３９を挿入した。しかし、室外機３を奥行き方向Ｙにコンパクト化するためには、必ず貫通孔が必要であるという訳ではない。例えば、図９および図１０に示されるように、室外機３ａの室外熱交換器１３１の後面熱交換部１３１ａに凹部Ｓｍ’を設け、その凹部Ｓｍ’にファンモータ３９の後端部分を挿入してもよい。この室外熱交換器１３１では、第１実施形態の室外熱交換器１３０と同様、伝熱管７１が２列設けられているが、この２列の伝熱管７１のうち、ファンモータ３９に対向する列の伝熱管７１のみが第１実施形態に示されたように第１伝熱管と第２伝熱管とから構成されており、他の列の伝熱管７１は、従来の室外熱交換器と同様、１本の伝熱管７１から構成されている。なお、室外熱交換器１３１がこのような構成を採る場合、ファンモータ３９は、第１実施形態と同様の態様で固定台６３に固定されてもよいし室外熱交換器１３１の伝熱管７１や放熱フィンに固定されてもよい。
【００３７】
（Ｅ）
第１実施形態に係る空気調和装置１の室外機３では、ボス部４０ａの円筒部４０ｇの開口側の内周に突起部４０ｄが複数設けられたが、このような突起部は、ファンモータ３９の外周に放射状に設けられてもよい。
【００３８】
＜第２実施形態＞
ここでは、第２実施形態に係る空気調和装置について説明する。第２実施形態に係る空気調和装置は、室外熱交換器にファンモータ挿入空間が設けられないこと（つまり、本実施形態の室外熱交換器は、側面熱交換部の放熱フィン配列方向の長さが従来の室外熱交換器の側面熱交換部のそれよりも短いだけの室外熱交換器である）、およびプロペラファンにギア駆動機構ＧＲが設けられることを除いて、第１実施形態に係る空気調和装置とほぼ同様の構成を有する。したがって、ここでは、プロペラファンに焦点を当てて説明を行う。なお、この説明については、図１１、図１２、および図１３を参照しながら行う。図１１は、第２実施形態に係る室外機１０３の側方透視図である。図１２は、第２実施形態に係る室外機１０３の前方透視図である。図１３は、第２実施形態に係る室外機１０３のプロペラファン１３８に採用されるヘリカルギアの外観斜視図である。なお、これらの図面において、Ｘを幅方向、Ｙを奥行き方向、Ｚを高さ方向とし、Ｘ１を右方、Ｘ２を左方、Ｙ１を前方、Ｙ２を後方、Ｚ１を上方、Ｚ２を下方とする。
【００３９】
第２実施形態に係る空気調和装置の室外機１０３に採用されるプロペラファン１３８は、主に、ファンモータ３９、ファンモータ３９の回転軸に沿って延びる第１回転シャフト４４、ファンモータ３９の回転軸と直交する回転軸を有するプロペラファンロータ１４０、プロペラファンロータ１４０の回転軸に沿って延びる第２回転シャフト１６８、第１回転シャフト４４の回転方向を９０度曲げ第２回転シャフトを介してプロペラファンロータ１４０を回転させるためのヘリカルギアボックス１６５、および第２回転シャフト１６８を支える軸受け１６６から構成される。
【００４０】
プロペラファンロータ１４０は、ボス部の前板部に板厚方向に貫通する４つの通気孔が設けられていないこと、および円筒部の開口側の内周に回転軸に向かって突起する突起部が設けられていないことを除いて、第１実施形態に係るプロペラファンロータと同様の構成を有する。
【００４１】
第２回転シャフト１６８は、一端がプロペラファンロータ１４０のボス部の回転シャフト結合部に結合され、他端がヘリカルギアボックス１６５内のヘリカルギア１６５ｃ（図１３参照）の第１歯車１６５ａに連結される。なお、ヘリカルギアボックス１６５は、固定台に固定されている（図１１参照）。
【００４２】
ファンモータ３９は、第１実施形態に係るファンモータと同一のファンモータである。このファンモータ３９は、室外機１０３の機械室６１に配置されている。また、このファンモータ３９は、側方から見た場合において室外熱交換器２３０の後面熱交換部２３０ａと重なるように配置されている。また、このファンモータ３９は、回転軸がプロペラファンロータ４０の回転軸と直交するように、所定の角度、上方Ｚ１に傾けられて固定されている。
【００４３】
第１回転シャフト４４は、機械室６１に配置されるファンモータ３９から機械室６１を仕切る仕切板１６２の開口（図示せず）を介してファンモータ３９の回転軸に沿って延び、ヘリカルギアボックス１６５ｃの第２歯車１６５ｂに連結されている。
【００４４】
このようなプロペラファン１３８において、ファンモータ３９が通電されると、先ず、第１回転シャフト４４が回転する。そして、ヘリカルギア１６５ｃにより第１回転シャフト４４の回転が第２回転シャフト１６８に伝達され、第２回転シャフト１６８が回転する。このとき、回転方向は、９０度曲げられる。そして、第２回転シャフト１６８の回転によりプロペラファンロータ１４０が回転する。
【００４５】
［空気調和装置の室外機の特徴］
第２実施形態に係る空気調和装置の室外機１０３では、ファンモータ３９が、機械室６１に配置されている。また、このファンモータ３９は、側方から見た場合において室外熱交換器２３０の後面熱交換部２３０ａと重なるように配置されている。また、このファンモータ３９は、回転軸がプロペラファンロータ１４０の回転軸と直交するように所定の角度傾けられて固定されており、第１回転シャフト４４、ヘリカルギアボックス１６５、および第２回転シャフト１６８を介してプロペラファンロータ４０を回転駆動させることができる。この室外機１０３は、プロペラファン１３８がこのような構造を採ることによって、奥行き方向Ｙにコンパクト化されている。また、この室外機１０３には、ファンモータ３９の配置の自由度が高いという特徴もある。
【００４６】
［変形例］
（Ａ）
第２実施形態に係る空気調和装置の室外機１０３では、第１回転シャフト４４の回転方向がヘリカルギア１６５ｃにより９０度曲げられたが、第１回転シャフト４４の回転方向は、図１４に示されるようなねじ歯車１６５ｄにより９０度に曲げられてもかまわない。
【００４７】
（Ｂ）
第２実施形態に係る空気調和装置の室外機１０３では、ギア駆動機構ＧＲを採用することによってファンモータ３９を機械室６１に配置することができた。しかし、図１５および図１６に示されるように、ベルト駆動機構ＢＬを採用してもファンモータ３９を機械室６１に配置することができる。
【００４８】
ここで、図１５は、本変形例に係る室外機２０３の側方透視図である。図１６は、本変形例に係る室外機２０３の前方透視図である。なお、これらの図面において、Ｘを幅方向、Ｙを奥行き方向、Ｚを高さ方向とし、Ｘ１を右方、Ｘ２を左方、Ｙ１を前方、Ｙ２を後方、Ｚ１を上方、Ｚ２を下方とする。
【００４９】
この室外機２０３に採用されるプロペラファン２３８は、主に、ファンモータ３９、ファンモータ３９の回転軸に沿って延びる第１プーリシャフト２４４、ファンモータ３９の回転軸と平行な回転軸を有するプロペラファンロータ１４０、プロペラファンロータ１４０の回転軸に沿って延びる第２プーリシャフト２６８、機械室６１を仕切る仕切板１６２の開口（図示せず）を介して第１プーリシャフト２４４のプーリ部と第２プーリシャフト２６８のプーリ部とに巻架される環状ベルト２６９、および第２プーリシャフト２６８を支える２つの軸受け２６６，２６７から構成される。
【００５０】
プロペラファンロータ１４０は、第２実施形態に係るプロペラファンロータと同様の構成を有する。
【００５１】
第２プーリシャフト２６８は、２つの軸受け２６６，２６７によって支持されており、一端がプロペラファンロータ１４０のボス部の回転シャフト結合部に結合される。
【００５２】
ファンモータ３９は、第２実施形態に係るファンモータと同一のファンモータである。このファンモータ３９は、回転軸が奥行き方向Ｙに沿うように、かつ、第１プーリシャフト２４４の突出側が前方Ｙ１を向くように配置されている。また、このファンモータ３９は、側方から見た場合において室外熱交換器２３０の後面熱交換部２３０ａと重なるように配置されている。
【００５３】
このようなプロペラファン１３８において、ファンモータ３９が通電されると、先ず、第１プーリシャフト２４４が回転する。そして、環状ベルト２６９により第１プーリシャフト２４４の回転が第２プーリシャフト２６８に伝達され、第２プーリシャフト２６８が回転する。そして、第２プーリシャフト２６８の回転によりプロペラファンロータ１４０が回転する。
【００５４】
（Ｃ）
第２実施形態に係る空気調和装置の室外機２０３では、ファンモータ３９が機械室６１に配置されたが、ファンモータ３９は、第１実施形態や第１実施形態の変形例（Ｄ）に示されるように、室外熱交換器の後面熱交換部に設けられる貫通孔や凹部などに配置されてもよい。この際、貫通孔や凹部は、後面熱交換部の内部にあってもよいし端部にあってもよい。
【産業上の利用可能性】
【００５５】
本発明に係る冷凍装置の室外機は、奥行き方向にコンパクト化されているという特徴を有し、冷凍装置の室外機の設置場所の制約を緩和することができる。
【図面の簡単な説明】
【００５６】
【図１】本発明の第１実施形態に係る空気調和装置の外観斜視図。
【図２】本発明の第１実施形態に係る空気調和装置の冷媒回路の構成図。
【図３】本発明の第１実施形態に係る室外機の側方透視図。
【図４】本発明の第１実施形態に係る室外機の室外熱交換器の外観斜視図。
【図５】本発明の第１実施形態に係る室外機の室外熱交換器の部分前面図。
【図６】本発明の第１実施形態に係る室外機のプロペラファンの側方透視図。
【図７】本発明の第１実施形態に係る室外機のプロペラファンの前方透視図。
【図８】第１実施形態の変形例（Ｃ）に係る室外機のプロペラファンの側方透視図。
【図９】第１実施形態の変形例（Ｄ）に係る室外機の側方透視図。
【図１０】第１実施形態の変形例（Ｄ）に係る室外機の室外熱交換器の外観斜視図。
【図１１】本発明の第２実施形態に係る室外機の側方透視図。
【図１２】本発明の第２実施形態に係る室外機の前方透視図。
【図１３】本発明の第２実施形態に係る室外機のプロペラファンに採用されるヘリカルギアの外観斜視図。
【図１４】第２実施形態の変形例（Ａ）に係るねじ歯車の外観斜視図。
【図１５】第２実施形態の変形例（Ｂ）に係る室外機の側方透視図。
【図１６】第２実施形態の変形例（Ｂ）に係る室外機の前方透視図。
【図１７】従来の室外機の内部の様子を示す斜視図。
【図１８】従来の室外機の側方透視図。
【符号の説明】
【００５７】
３，３ａ，１０３，２０３      室外機
３９      ファンモータ（ファンモータ本体）
４０，１４０      プロペラファンロータ（軸流ファンロータ）
４０ａ      ボス部
１３０ａ，１３１ａ，２３０ａ      後面熱交換部（熱交換部）
ＢＬ      ベルト駆動機構（回転動力伝達機構）
ＧＬ      ギア駆動機構（回転動力伝達機構）
Ｓｍ，Ｓｍ’      ファンモータ挿入空間（ファンモータ本体挿入空間）
Ｙ      奥行き方向